(57)【要約】【課題】本発明は、作業範囲を限定せず、使用に便利なドライバーを提供することを目的とする。【解決手段】本発明のドライバーは、作業棒、作業棒の第一端部に固定されたドライバー頭部、作業棒の第二端部に固定された止め部及び作業棒をカバーし、且つ第二端部に近接しているハンドルを備える。作業棒の第二端部に近接する外表面には、螺旋凹部が設けられ、ドライバーは、ハンドルの内壁と螺旋凹部の表面の間に緊密に保持された移動部材及び作業棒をカバーし、且つ第一端部及びハンドルとの間に設置された弾性部材を備え、ハンドルは、外力によって、作業棒の第二端部から第一端部に移動して、弾性部材を圧縮し、移動過程中、移動部材は、螺旋凹部内を移動し、ドライバー頭部を連動させ、外力が解除されると、弾性部材は、弾性復帰し、ハンドルは、移動部材を連動して、初期位置に戻る。【選択図】図４
2015016548.tif 000002
【特許請求の範囲】
【請求項１】
作業棒、前記作業棒の第一端部に固定されたドライバー頭部、前記作業棒の第二端部に固定された止め部及び前記作業棒をカバーし、且つ前記第二端部に近接しているハンドルを備えるドライバーにおいて、
前記作業棒の第二端部に近接する外表面には、螺旋凹部が設けられ、前記ドライバーは、前記ハンドルの内壁と前記螺旋凹部の表面の間に緊密に保持された移動部材及び前記作業棒をカバーし、且つ前記第一端部及び前記ハンドルとの間に設置された弾性部材を備え、前記ハンドルは、外力によって、前記作業棒の第二端部から第一端部に移動して前記弾性部材を圧縮し、移動過程中、前記移動部材は、前記螺旋凹部内を移動し、前記ドライバー頭部を連動させ、外力が解除されると、前記弾性部材は、弾性復帰し、前記ハンドルは、前記移動部材を連動して、初期位置に戻ることを特徴とするドライバー。
【請求項２】
前記ドライバーは、前記作業棒をカバーし、且つ前記螺旋凹部の両端に位置する第一軸受及び第二軸受を備え、前記第一軸受は、前記作業棒の第二端部に近接し、前記ハンドルは、前記第一軸受及び前記第二軸受をカバーし、前記弾性部材の一端は、前記作業棒の第一端部に固定され、別の一端は、前記第二軸受と接触することを特徴とする請求項１に記載のドライバー。
【請求項３】
前記作業棒の第一端部は、円錐台であり、前記弾性部材の一端は、前記円錐台と接触し、別の一端は、前記第二軸受と接触することを特徴とする請求項２に記載のドライバー。
【請求項４】
前記作業棒には、前記第一端部から前記第二端部の方向に向かって１つの通孔が設けられ、前記ドライバーは、磁石を備え、前記磁石は、前記通孔内に収容され、前記作業棒及び前記ドライバー頭部は、金属材料からなり、前記磁石は、前記ドライバー頭部を前記作業棒に固定することを特徴とする請求項１に記載のドライバー。
【請求項５】
前記移動部材は、金属柱及び鋼球を備え、前記金属柱は、前記ハンドルの内壁に固定され、前記鋼球は、前記金属柱と前記螺旋凹部の表面との間に設置されることを特徴とする請求項１に記載のドライバー。
【発明の詳細な説明】
【技術分野】
【０００１】
本発明は、ドライバーに関するものである。
【背景技術】
【０００２】
従来のドライバー（例えば、電気ドラセント）は、外部の電源或いはガス源を必要とするため、ドライバーの後端部には、電源線或いは通気パイプが接続されている。しかし、使用する際、該電源線或いは通気パイプの長さは、作業者の作業範囲を限定するので、不便である。
【発明の概要】
【発明が解決しようとする課題】
【０００３】
以上の問題点に鑑みて、本発明は、作業範囲を限定せず、使用に便利なドライバーを提供することを目的とする。
【課題を解決するための手段】
【０００４】
上記の課題を解決するために、本発明のドライバーは、作業棒、前記作業棒の第一端部に固定されたドライバー頭部、前記作業棒の第二端部に固定された止め部及び前記作業棒をカバーし、且つ前記第二端部に近接しているハンドルを備える。前記作業棒の第二端部に近接する外表面には、螺旋凹部が設けられ、前記ドライバーは、前記ハンドルの内壁と前記螺旋凹部の表面の間に緊密に保持された移動部材及び前記作業棒をカバーし、且つ前記第一端部及び前記ハンドルとの間に設置された弾性部材を備え、前記ハンドルは、外力によって、前記作業棒の第二端部から第一端部に移動して前記弾性部材を圧縮し、移動過程中、前記移動部材は、前記螺旋凹部内を移動し、前記ドライバー頭部を連動させ、外力が解除されると、前記弾性部材は、弾性復帰し、前記ハンドルは、前記移動部材を連動して、初期位置に戻る。
【発明の効果】
【０００５】
本発明のドライバーは、外力の作用の下、ハンドルを移動させ、移動する過程中、移動部材は螺旋凹部内移動し、作業棒はドライバー頭部を回転させるため、電源線或いは通気パイプを介さなくても、従来のドライバーの機能を実現できるため、作業範囲は限定されず、使用も便利である。
【図面の簡単な説明】
【０００６】
【図１】本発明に係るドライバーの斜視図である。
【図２】図１に示したドライバーの分解図である。
【図３】図１に示したドライバーのＩＩＩ−ＩＩＩ線に沿った段面図である。
【図４】図３に示したドライバーの使用状態を示す図である。
【発明を実施するための形態】
【０００７】
以下、図面に基づいて、本発明に係るドライバーについて詳細に説明する。図１及び図２に示したように、ドライバー１は、作業棒１０、作業棒１０の第一端部１０１に固定されるドライバー頭部１１、作業棒１０の第二端部１０２に固定された止め部１２及び作業棒１０をカバーし、且つ作業棒１０の第二端部１０２に近接して設置されるハンドル１３を備える。作業棒１０の第二端部１０２に近接する外表面には、螺旋形状を呈する螺旋凹部１０３が設けられている。
【０００８】
ドライバー１は更に、ハンドル１３の内壁に固定され、且つ螺旋凹部１０３の表面に緊密に接触する移動部材１４及び作業棒１０の第一端部１０１とハンドル１３との間に設置される弾性部材１５を備える。ドライバー１を使用する際、ハンドル１３は、外力の作用下で、移動部材１４を連動させて、移動部材１４を作業棒１０の第二端部１０２から第一端部１０１まで移動させ、且つ弾性部材１５を圧縮する。この移動過程中、ハンドル１３の内壁に固定されている移動部材１４は、螺旋凹部１０３内で移動して、作業棒１０を連動して、該作業棒１０にドライバー頭部１１を回転させる。外力が解除されると、弾性部材１５は弾性復帰して、ハンドル１３は、移動部材１４を連動して、初期位置に戻る。本実施形態において、弾性部材１５は、ばねである。ハンドル１３及び止め部１２は、鋳型鋼（ｍｏｌｄｓｔｅｅｌ）からなる。本実施形態において、移動部材１４は、金属柱１４１及び鋼球１４２を備える。金属柱１４１は、ハンドル１３の内壁に固定され、鋼球１４２は、金属柱１４１と螺旋凹部１０３との間に設置される。鋼球１４２の表面が球形状であるため、ハンドル１３が移動部材１４を連動して下方に移動する過程において、鋼球１４２は螺旋凹部１０３内に移動し、且つ作業棒１０を回転させる。
【０００９】
ドライバー１は、作業棒１０をカバーし、且つ螺旋凹部１０３の両端に設置される第一軸受１６及び第二軸受１７を備える。第一軸受１６は、作業棒１０の第二端部１０２と近接している。ハンドル１３は、第一軸受１６及び第二軸受１７をカバーし、且つ第一軸受１６及び第二軸受１７を固定する。弾性部材１５の一端は、作業棒１０の第一端部１０１に固定され、別の一端は第二軸受１７と接触する。本実施形態において、作業棒１０の第一端部１０１は、円錐台であり、弾性部材１５の一端は、該円錐台と接触し、別の一端は、第二軸受１７と接触して、弾性部材１５の位置を作業棒１０の第一端部１０１とハンドル１３との間に限定する。
【００１０】
作業棒１０の第一端部１０１には、第二端部１０２の方向に向かって１つの通孔１０４（図３を参照）が設けられている。また、ドライバー１は、磁石１８を備え、磁石１８は、通孔１０４内に収容される。作業棒１０及びドライバー頭部１１は、金属材料からなり、磁石１８の吸着力によって、作業棒１０及びドライバー頭部１１は吸着されて、ドライバー頭部１１を作業棒１０に固定させる。他の実施形態において、他の固定方式によって固定してもよい。例えば、ネジを利用して、ドライバー頭部１１と作業棒１０とを固定してもよい。しかし、ドライバー頭部１１は消耗が早いため、磁石１８を利用する方が、ドライバー頭部を１１容易に交換できる。従って、磁石１８を利用する方式を採用するのが好ましい。本実施形態において、磁石１８は、ステンレス鋼材料からなる強力磁石である。
【００１１】
図３及び図４に示したように、ドライバー１を使用する際、ハンドル１３に外力を与え、且つハンドル１３に移動部材１４を連動させ、移動部材１４を作業棒１０の第二端部１０２から作業棒１０の第一端部１０１に向かって移動させる。この際、移動部材１４の鋼球１４２は、螺旋凹部１０３内で移動し、且つ作業棒１０はドライバー１１を回転させる。ハンドル１３が移動する過程において、弾性部材１５は、第二軸受１７によって圧縮され、ドライバー１の使用が終わると、外力は解除され、この際、弾性部材１５は弾性復帰し、且つ初期位置に戻る。この過程において、止め部１２は、ハンドル１３が作業棒１０から離脱するのを防止する。
【符号の説明】
【００１２】
１  ドライバー
１１  ドライバー頭部
１０  作業棒
１０１  第一端部
１０２  第二端部
１２  止め部
１３  ハンドル
１０３  螺旋凹部
１４  移動部材
１５  弾性部材
１４１  金属柱
１４２  鋼球
１６  第一軸受
１７  第二軸受
１０４  通孔
１８  磁石
【図１】
2015016548.tif 000003
【図２】
2015016548.tif 000004
【図３】
2015016548.tif 000005
【図４】
2015016548.tif 000006